(57)【要約】【課題】同一パターンの編集情報を繰返し利用して編集を行うことで、帯番組のような一定の位置にＣＭなどが挿入されている番組から不要なＣＭ部分をカットするなどの編集作業を、いちいち録画したコンテンツを再生することなく、簡易迅速に行うことができる記録再生装置を提供する。【課題を解決するための手段】繰返し利用可能な編集位置情報を含む編集パターン情報を保持する編集パターン情報保持部と、コンテンツ情報を取得するコンテンツ情報取得部と、取得したコンテンツ情報を編集パターン情報に基づいて編集する編集部と、プレイリストに従って再生するプレイリスト再生部とを有し、編集部は、取得したコンテンツ情報そのものに対しては編集操作を実行せず、取得したコンテンツ情報のプレイリストを生成編集する間接編集手段を有する記録再生装置を提供する。【選択図】図１８
2010239638.tif 000002
【特許請求の範囲】
【請求項１】
繰返し利用可能な編集位置情報を含む編集パターン情報を保持する編集パターン情報保持部と、
コンテンツ情報を取得するコンテンツ情報取得部と、
取得したコンテンツ情報を編集パターン情報に基づいて編集する編集部と、
プレイリストに従って再生するプレイリスト再生部と、
を有し、
編集部は、取得したコンテンツ情報そのものに対しては編集操作を実行せず、取得したコンテンツ情報のプレイリストを生成編集する間接編集手段を有する記録再生装置。
【請求項２】
編集パターン情報保持部に保持された複数の編集パターン情報から編集部にて利用させるための特定の編集パターン情報を選択する選択部をさらに有する請求項１に記載の記録再生装置。
【請求項３】
保持すべき編集パターン情報を録画済みコンテンツ情報から生成する編集パターン情報生成部をさらに有する請求項１又は２に記載の記録再生装置。
【請求項４】
生成される編集パターン情報は、録画済みのコンテンツ情報そのものである請求項３に記載の記録再生装置。
【請求項５】
保持すべき編集パターン情報を利用者に作成させるための編集パターン情報作成部をさらに有する請求項１から３のいずれか一に記載の記録再生装置。
【請求項６】
編集パターン情報作成部は、編集パターン情報に含むべき編集位置情報を時間指定にて入力するための時間指定入力手段を有する請求項５に記載の記録再生装置。
【請求項７】
編集パターン情報作成部は、編集パターン情報に含むべき編集位置情報を録画済みコンテンツを再生して特定の位置を指定して入力するための再生指定入力手段を有する請求項５に記載の記録再生装置。
【請求項８】
編集パターン情報保持部に保持されている編集パターン情報を構成する情報を追加・変更・削除するための編集パターン情報編集部をさらに有する請求項１から７のいずれか一に記載の記録再生装置。
【請求項９】
編集パターン情報編集部は、編集パターン情報のファイル名の付加・変更・削除をするための編集パターン情報名編集手段を有する請求項８に記載の記録再生装置。
【請求項１０】
繰返し利用可能な編集位置情報を含む編集パターン情報を保持する編集パターン情報保持部と、
コンテンツ情報を取得するコンテンツ情報取得部と、
取得したコンテンツ情報を編集パターン情報に基づいて編集する編集部と、
編集パターン情報保持部に保持された複数の編集パターン情報から編集部にて利用させるための特定の編集パターン情報を選択する選択部と、
録画予約部と、
を有し、
選択部は、録画予約情報に基づいて前記選択をする録画情報依存選択手段を有し、編集部は、録画予約部による予約された録画の実行の際に又は録画の実行の後に、前記編集を行う記録再生装置。
【請求項１１】
コンテンツ情報を取得するコンテンツ情報取得ステップと、
前記コンテンツ情報取得ステップにて取得したコンテンツ情報を、繰返し利用可能な編集位置情報を含む編集パターン情報に基づいて編集する編集ステップと、
プレイリストに従って再生するプレイリスト再生ステップと、
を有し、
前記編集ステップは、取得したコンテンツ情報そのものに対しては編集操作を実行せず、取得したコンテンツ情報のプレイリストを生成編集する間接編集サブステップを有する記録再生方法。
【請求項１２】
前記編集パターン情報は複数であり、
前記複数の編集パターン情報から、前記編集ステップにおける処理に利用するための特定の編集パターン情報を選択する選択ステップをさらに有する請求項１１に記載の記録再生方法。
【請求項１３】
保持すべき編集パターン情報を録画済みコンテンツ情報から生成する編集パターン情報生成ステップをさらに有する請求項１１又は１２に記載の記録再生方法。
【請求項１４】
保持すべき編集パターン情報を利用者に作成させるための編集パターン情報作成ステップをさらに有する請求項１１から１３のいずれか一に記載の記録再生方法。
【請求項１５】
前記編集パターン情報作成ステップは、編集パターン情報に含むべき編集位置情報を時間指定にて入力するための時間指定入力サブステップを有する請求項１４に記載の記録再生方法。
【請求項１６】
前記編集パターン情報作成ステップは、編集パターン情報に含むべき編集位置情報を録画済みコンテンツを再生して特定の位置を指定して入力するための再生指定入力サブステップを有する請求項１４に記載の記録再生方法。
【請求項１７】
編集パターン情報を構成する情報を追加・変更・削除するための編集パターン情報編集ステップをさらに有する請求項１１から１６のいずれか一に記載の記録再生方法。
【請求項１８】
編集パターン情報編集ステップは、編集パターン情報のファイル名の付加・変更・削除をするための編集パターン情報名編集サブステップを有する請求項１７に記載の記録再生方法。
【発明の詳細な説明】
【技術分野】
【０００１】
本発明は、取得したコンテンツ情報を編集パターン情報に基づいて編集する機能を有する記録再生装置に関し、特にコンテンツ情報を任意の位置で区切ることのできる編集機能有する記録再生装置に関する。
【背景技術】
【０００２】
近年、ＭＰＥＧ（Ｍｏｖｉｎｇ  Ｐｉｃｔｕｒｅ  Ｅｘｐｅｒｔｓ  Ｇｒｏｕｐ）１、ＭＰＥＧ２等のデジタル圧縮技術の標準化が進み、また、高性能なＣＰＵ（Ｃｅｎｔｒａｌ  Ｐｒｏｃｅｓｓｉｎｇ  Ｕｎｉｔ）、メモリ及びデータ蓄積媒体などが低価格で入手可能になってきている。こうした事情を背景に、映像データや音声データをデジタル化して蓄積し、大容量のデジタルデータを処理するマルチメディア機器が普及している。それらの１つとして、テレビ番組などのアナログ放送をはじめ、ＢＳ放送、ＣＳ放送、地上波デジタル放送などのデジタル放送を受信し、その受信した放送信号から映像（及び音声）コンテンツの記録再生を行うことができる記録再生装置が商品化されている。この記録再生装置には、例えば、内蔵又は外付けのＨＤＤ（ハードディスクドライブ）や、リムーバブルな半導体メモリ、ＤＶＤなどの記憶容量の大きな記録媒体のリーダ／ライタを備えたものがあり、大容量記録媒体に多数の映像コンテンツを記録しておくことができる。ユーザ（利用者）は、記録再生装置に記録された映像コンテンツを好きなときに好きなだけ再生して視聴することができる。このような記録再生装置はユーザが記録された映像コンテンツを再生して視聴するときに便利なように、また不要なシーンを削除するときの基準となるように映像コンテンツを複数の区間に区分する機能を有するものもある。複数シーンに分割する分割点の指定方法には現在、手動・自動の両方の方法が存在する。自動で分割点を設定する方法には特定の時間単位で設定するもののほか、映像や音声の変化点を基準としてその位置に付与する方法が存在している（例えば特許文献１参照）。
【先行技術文献】
【特許文献】
【０００３】
【特許文献１】特開２００４‐０８０６２３号公報
【発明の概要】
【発明が解決しようとする課題】
【０００４】
しかし、従来の編集方法では、録画したコンテンツ（番組など）から、例えばＣＭ部分をカットするために本編部分とＣＭ部分を区切る作業を、録画したコンテンツを再生してその映像等を直接見ながら行う必要がある上、録画したコンテンツごとに個別に編集を行う必要があるため、ひじょうに煩雑であった。そこで、この煩雑さを回避すべく映像や音声の切り替わり点を検出して自動的に区切り点を付けていく方法も見られるが、録画後における切り替わり点の検出等には時間がかかる上、ＣＭ等不要なシーンを削除するための方式としては、映像や音声の切り替わり点が必ずしも必要なシーンと不要なシーンの切り替わりに対応しているわけではないことから、有効な方法とはなり得なかった。
【０００５】
ところで、コンテンツの中には、いわゆる「帯番組」などのように、毎日の同一時間帯や毎週同じ曜日の同一時間帯に放映される番組であって、常に番組中の同じ位置にＣＭが挿入されているものがある。そこで、このようなコンテンツの場合には、１回目に録画したコンテンツについて本編部分とＣＭ部分を区切ってその位置情報を記憶しておけば、２回目以降はその位置情報を適用して同じ位置で区切ることで編集を行えばよく、いちいち録画したコンテンツをその都度再生しながら編集するという煩雑な作業をしなくても済むことになるはずである。本発明は、このような点に着眼したものであり、本発明が解決すべき課題は、同一パターンの編集情報を繰返し利用して編集を行うことで、帯番組のような一定の位置にＣＭなどが挿入されている番組から不要なＣＭ部分をカットするなどの編集作業を、いちいち録画したコンテンツを再生することなく、簡易迅速に行うことができる記録再生装置を提供することにある。
【課題を解決するための手段】
【０００６】
以上の課題を解決するため、本発明のうち、請求項１に記載の発明は、繰返し利用可能な編集位置情報を含む編集パターン情報を保持する編集パターン情報保持部と、コンテンツ情報を取得するコンテンツ情報取得部と、取得したコンテンツ情報を編集パターン情報に基づいて編集する編集部と、プレイリストに従って再生するプレイリスト再生部とを有し、編集部は、取得したコンテンツ情報そのものに対しては編集操作を実行せず、取得したコンテンツ情報のプレイリストを生成編集する間接編集手段を有する記録再生装置を提供する。また、請求項２に記載の発明は、編集パターン情報保持部に保持された複数の編集パターン情報から編集部にて利用させるための特定の編集パターン情報を選択する選択部をさらに有する請求項１に記載の記録再生装置を提供する。また、請求項３に記載の発明は、保持すべき編集パターン情報を録画済みコンテンツ情報から生成する編集パターン情報生成部をさらに有する請求項１又は２に記載の記録再生装置を提供する。また、請求項４に記載の発明は、生成される編集パターン情報は、録画済みのコンテンツ情報そのものである請求項３に記載の記録再生装置を提供する。また、請求項５に記載の発明は、保持すべき編集パターン情報を利用者に作成させるための編集パターン情報作成部をさらに有する請求項１から３のいずれか一に記載の記録再生装置を提供する。また、請求項６に記載の発明は、編集パターン情報作成部は、編集パターン情報に含むべき編集位置情報を時間指定にて入力するための時間指定入力手段を有する請求項５に記載の記録再生装置を提供する。また、請求項７に記載の発明は、編集パターン情報作成部は、編集パターン情報に含むべき編集位置情報を録画済みコンテンツを再生して特定の位置を指定して入力するための再生指定入力手段を有する請求項５に記載の記録再生装置を提供する。また、請求項８に記載の発明は、編集パターン情報保持部に保持されている編集パターン情報を構成する情報を追加・変更・削除するための編集パターン情報編集部をさらに有する請求項１から７のいずれか一に記載の記録再生装置を提供する。また、請求項９に記載の発明は、編集パターン情報編集部は、編集パターン情報のファイル名の付加・変更・削除をするための編集パターン情報名編集手段を有する請求項８に記載の記録再生装置を提供する。また、請求項１０に記載の発明は、繰返し利用可能な編集位置情報を含む編集パターン情報を保持する編集パターン情報保持部と、コンテンツ情報を取得するコンテンツ情報取得部と、取得したコンテンツ情報を編集パターン情報に基づいて編集する編集部と、編集パターン情報保持部に保持された複数の編集パターン情報から編集部にて利用させるための特定の編集パターン情報を選択する選択部と、録画予約部とを有し、選択部は、録画予約情報に基づいて前記選択をする録画情報依存選択手段を有し、編集部は、録画予約部による予約された録画の実行の際に又は録画の実行の後に、前記編集を行う記録再生装置を提供する。
【０００７】
また、請求項１１に記載の発明は、コンテンツ情報を取得するコンテンツ情報取得ステップと、前記コンテンツ情報取得ステップにて取得したコンテンツ情報を、繰返し利用可能な編集位置情報を含む編集パターン情報に基づいて編集する編集ステップと、プレイリストに従って再生するプレイリスト再生ステップとを有し、前記編集ステップは、取得したコンテンツ情報そのものに対しては編集操作を実行せず、取得したコンテンツ情報のプレイリストを生成編集する間接編集サブステップを有する記録再生方法を提供する。また、請求項１２に記載の発明は、前記編集パターン情報は複数であり、前記複数の編集パターン情報から、前記編集ステップにおける処理に利用するための特定の編集パターン情報を選択する選択ステップをさらに有する請求項１１に記載の記録再生方法を提供する。また、請求項１３に記載の発明は、保持すべき編集パターン情報を録画済みコンテンツ情報から生成する編集パターン情報生成ステップをさらに有する請求項１１又は１２に記載の記録再生方法を提供する。また、請求項１４に記載の発明は、保持すべき編集パターン情報を利用者に作成させるための編集パターン情報作成ステップをさらに有する請求項１１から１３のいずれか一に記載の記録再生方法を提供する。また、請求項１５に記載の発明は、前記編集パターン情報作成ステップは、編集パターン情報に含むべき編集位置情報を時間指定にて入力するための時間指定入力サブステップを有する請求項１４に記載の記録再生方法を提供する。また、請求項１６に記載の発明は、前記編集パターン情報作成ステップは、編集パターン情報に含むべき編集位置情報を録画済みコンテンツを再生して特定の位置を指定して入力するための再生指定入力サブステップを有する請求項１４に記載の記録再生方法を提供する。また、請求項１７に記載の発明は、編集パターン情報を構成する情報を追加・変更・削除するための編集パターン情報編集ステップをさらに有する請求項１１から１６のいずれか一に記載の記録再生方法を提供する。また、請求項１８に記載の発明は、編集パターン情報編集ステップは、編集パターン情報のファイル名の付加・変更・削除をするための編集パターン情報名編集サブステップを有する請求項１７に記載の記録再生方法を提供する。
【発明の効果】
【０００８】
本発明により、同一パターンの編集情報を繰返し利用して編集を行うことで、帯番組のような一定の位置にＣＭなどが挿入されている番組から不要なＣＭ部分をカットするなどの編集作業を、いちいち録画したコンテンツを再生することなく、簡易迅速に行うことができる記録再生装置を提供することが可能となる。
【図面の簡単な説明】
【０００９】
【図１】実施例１の記録再生装置の機能ブロックの一例を示す図
【図２】実施例１の記録再生装置の機能ブロックの一例を示す図
【図３】実施例１の記録再生装置のハードウェア構成の一例を示す概略図
【図４】実施例１の記録再生装置のディスプレイ上の表示の一例を示す図
【図５】実施例１の記録再生装置のディスプレイ上の表示の一例を示す図
【図６】実施例１の記録再生装置のディスプレイ上の表示の一例を示す図
【図７】実施例１の記録再生装置のディスプレイ上の表示の一例を示す図
【図８】実施例１の記録再生装置におけるコンテンツを模式的に示す図
【図９】実施例１の記録再生装置におけるコンテンツを模式的に示す図
【図１０】実施例１の記録再生装置における編集パターン情報にかかるテーブルの一例を示す図
【図１１】実施例１の記録再生装置におけるプログラムの一例を示す図
【図１２】実施例１の記録再生装置の具体的な実施例を説明するための図
【図１３】実施例１の記録再生装置における処理の流れの一例を示す図
【図１４】実施例１の記録再生装置における処理の流れの一例を示す図
【図１５】実施例２の記録再生装置の機能ブロックの一例を示す図
【図１６】実施例２の記録再生装置のハードウェア構成の一例を示す概略図
【図１７】実施例２の記録再生装置における処理の流れの一例を示す図
【図１８】実施例３の記録再生装置の機能ブロックの一例を示す図
【図１９】実施例３の記録再生装置のハードウェア構成の一例を示す概略図
【図２０】実施例３の記録再生装置における処理の流れの一例を示す図
【図２１】実施例４の記録再生装置の機能ブロックの一例を示す図
【図２２】実施例４の記録再生装置のディスプレイ上の表示の一例を示す図
【図２３】実施例４の記録再生装置のディスプレイ上の表示の一例を示す図
【図２４】実施例４の記録再生装置のハードウェア構成の一例を示す概略図
【図２５】実施例４の記録再生装置における処理の流れの一例を示す図
【図２６】実施例５の記録再生装置の機能ブロックの一例を示す図
【図２７】実施例５の記録再生装置のハードウェア構成の一例を示す概略図
【図２８】実施例５の記録再生装置のディスプレイ上の表示の一例を示す図
【図２９】実施例５の記録再生装置のディスプレイ上の表示の一例を示す図
【図３０】実施例５の記録再生装置のディスプレイ上の表示の一例を示す図
【図３１】実施例５の記録再生装置のディスプレイ上の表示の一例を示す図
【図３２】実施例５の記録再生装置のディスプレイ上の表示の一例を示す図
【図３３】実施例５の記録再生装置のディスプレイ上の表示の一例を示す図
【図３４】実施例５の記録再生装置における処理の流れの一例を示す図
【図３５】実施例６の記録再生装置の機能ブロックの一例を示す図
【図３６】実施例６の記録再生装置のハードウェア構成の一例を示す概略図
【図３７】実施例６の記録再生装置のディスプレイ上の表示の一例を示す図
【図３８】実施例６の記録再生装置における処理の流れの一例を示す図
【図３９】実施例７の記録再生装置の機能ブロックの一例を示す図
【図４０】実施例７の記録再生装置のハードウェア構成の一例を示す概略図
【図４１】実施例７の記録再生装置における処理の流れの一例を示す図
【図４２】実施例７の記録再生装置における処理の流れの一例を示す図
【図４３】実施例８の記録再生装置の機能ブロックの一例を示す図
【図４４】実施例８の記録再生装置のハードウェア構成の一例を示す概略図
【図４５】実施例８の記録再生装置における処理の流れの一例を示す図
【図４６】実施例９の記録再生装置の機能ブロックの一例を示す図
【図４７】実施例９の記録再生装置のハードウェア構成の一例を示す概略図
【図４８】実施例９の記録再生装置における処理の流れの一例を示す図
【図４９】実施例１０の記録再生装置の機能ブロックの一例を示す図
【図５０】実施例１０の記録再生装置のハードウェア構成の一例を示す概略図
【図５１】実施例１０の記録再生装置における処理の流れの一例を示す図
【符号の説明】
【００１０】
０１００      記録再生装置
０１０１      編集パターン情報保持部
０１０２      コンテンツ情報取得部
０１０３      編集部
【発明を実施するための形態】
【００１１】
以下に、本発明の実施例を説明する。実施例と請求項の相互の関係は以下のとおりである。実施例１は主に請求項２、請求項１２などに関し、実施例３は主に請求項１、請求項１１などに関し、実施例４は主に請求項３、請求項４、請求項１３などに関し、実施例５は主に請求項５、請求項６、請求項１４、請求項１５などに関し、実施例６は主に請求項７、請求項１６などに関し、実施例７は主に請求項８、請求項１７などに関し、実施例８は主に請求項９、請求項１８などに関し、実施例９は主に請求項１０などに関する。また、実施例２は、本発明の特許請求の範囲には含まれないが、主に請求項２の記録再生装置においてプレイリスト再生部および編集部の間接編集手段が必須構成要素でないものについて説明する。実施例１０は、やはり本発明の特許請求の範囲には含まれないが、主にコンテンツ情報取得部が一括取得手段を有する記録再生装置について説明する。なお、本発明はこれら実施例に何ら限定されるものではなく、その要旨を逸脱しない範囲において、種々なる態様で実施しうる。
【実施例１】
【００１２】
<概要>
本実施例の記録再生装置は、繰返し利用可能な編集位置情報を含む編集パターン情報を保持する手段と、コンテンツ情報を取得する手段と、取得したコンテンツ情報を編集パターン情報に基づいて編集する手段とを有するものである。
【００１３】
<構成>
図１は、本実施例の記録再生装置の機能ブロックの一例を示す図である。本件発明の構成要素である各部は、ハードウェア、ソフトウェア、ハードウェアとソフトウェアの両者、のいずれかによって構成される。たとえば、これらを実現する一例として、コンピュータを利用する場合には、ＣＰＵ、メモリ、バス、インターフェイス、周辺機器などから構成されるハードウェアと、これらのハードウェア上にて実行可能なソフトウェアを挙げることができる。具体的には、メモリ上に展開されたプログラムを順次実行することで、メモリ上のデータや、インターフェイスを介して入力されるデータの加工、蓄積、出力などにより各部の機能が実現される。本図に示すように、本例の「記録再生装置」０１００は、「編集パターン情報保持部」０１０１と、「コンテンツ情報取得部」０１０２と、「編集部」０１０３とを有する。
【００１４】
「編集パターン情報保持部」は、繰返し利用可能な編集位置情報を含む編集パターン情報を保持するように構成されている。「編集パターン情報」は、コンテンツの編集を行うための編集情報（編集位置情報など）をパターン化した情報である。この場合の編集の種類としては、コンテンツの一定範囲を「チャプター」として特定する、チャプターを複数設定してチャプターによってコンテンツを分割する、コンテンツの特定の位置を指定してその前後を二つのチャプターに分割する、コンテンツの特定のシーンを消去する、などがある。そこで、これらに対応し、編集パターン情報保持部が保持する編集パターン情報の種類としては、チャプター区切り編集用情報、シーン消去用情報などがある。この編集パターン情報は、これを複数のコンテンツの編集に繰り返し利用可能とすることを目的とするものである。従って、本発明により編集を行う対象となるコンテンツは、一つの編集パターン情報を利用して同一の編集を行えば不要な部分をカットするなど所要の編集ができるものである。具体的には、上述のような毎日の同一時間帯や毎週同じ曜日の同一時間帯に放映される番組であって、常に番組中の同じ位置にＣＭやテーマ音楽が挿入されているものなどが該当する。例えば、３０分の連続ドラマで、放映開始後０分００秒から０分３０秒までと、１５分００秒から１５分３０秒までの２回ＣＭが挿入されることが毎回決まっているものでは、０分００秒から０分３０秒までと１５分００秒から１５分３０秒までをカットすることを内容とする一つの編集パターン情報を繰り返し利用することで、すべての回のドラマについてＣＭだけをすべてカットすることが可能となる。その際、放映開始後の時間に対応するシーンがコンテンツ上のどの位置にあるかを判断するために、編集位置情報が用いられる。即ち、「編集位置情報」とは、コンテンツ上の位置を示す情報であるが、この編集位置情報は、コンテンツの先頭からの経過時間と一定の相関関係を持ち、この相関関係に基づいて、当該位置情報からコンテンツの先頭からの経過時間を計算により求めることが可能なものである。
【００１５】
ここで、編集位置情報についてさらに詳細に説明する。本発明を利用して一つの編集パターン情報で帯番組などの複数のコンテンツを編集する場合、コンテンツの編集すべき位置は、コンテンツの先頭からの経過時間がすべて一定であるという関係に立つ。例えば、上述の例のように、すべてのコンテンツにおいてカットすべきＣＭの位置が先頭からの経過時間で０分００秒から０分３０秒までと１５分００秒から１５分３０秒までであるといったごときである。本発明では、この複数のコンテンツに共通する経過時間を特定するための手段として、先頭からの経過時間と一定の相関関係を持つ情報である編集位置情報を用いる。かかる情報を用いることで、コンテンツの先頭からの経過時間を計算により求めることが可能になる。例えば、録画したコンテンツのフレームレートが３０ｆｐｓである場合、各フレームに一連番号である位置情報を付与すれば、位置情報が示す番号が１増えるごとに経過時間が１／３０秒経過するという相関関係があることになるので、編集対象
位置の位置情報と先頭の位置情報との差からその間の経過時間を計算することができる。また、コンテンツがＭＰＥＧ２のシステム・ストリーム（具体的にはデジタル放送向け規格であるトランスポート・ストリーム（ＴＳ）など）のデータとして送信される場合、当該ストリームを構成するＴＳパケット列の各パケットのヘッダに格納された識別子を編集位置情報として利用してもよい。あるいは、ＤＴＳ（Ｄｅｃｏｄｉｎｇ  Ｔｉｍｅ  Ｓｔａｍｐ）、ＰＴＳ（Ｐｒｅｓｅｎｔ  Ｔｉｍｅ  Ｓｔａｍｐ）のような同期再生のための時間情報を利用してコンテンツの先頭からの経過時間を求めるようにしてもよい。そして、保持された編集位置情報を含む編集パターン情報を利用して他のコンテンツを編集するときは、当該コンテンツの先頭に付された位置情報と、上記の経過時間から逆算した位置を特定することにより、先頭からの経過時間が同じ位置に編集を施すことが可能となる。
【００１６】
次に、「コンテンツ情報取得部」は、コンテンツ情報を取得するように構成されている。「コンテンツ情報」は、編集処理を施す対象であり、コンテンツそのもの（オリジナル・タイトル）であってもよいし、オリジナル・タイトルをコピーして作成された仮想的なコンテンツ（プレイリスト）であってもよい。あるいは、コンテンツそのものではなく、コンテンツの内容、属性等を示すデータであってもよい。このコンテンツ情報は、これに基づいて同じ編集パターン情報を用いて編集してよい番組であるかの識別や、具体的にどのような編集を加えるかを決定するための判断材料ともなり得るものである。例えば、コンテンツの内容に関するコンテンツ情報であるコンテンツの題名や放送曜日・時刻・チャンネルなどが同じであれば、これらのコンテンツは、原則として同じ編集パターン情報に基づいて編集することが可能であることがわかる。従って、同一の編集パターン情報を用いて編集を行う対象となるコンテンツには、同じ題名や放送曜日・時刻・チャンネルを関連付けることが望ましい。本発明が対象とするコンテンツは、典型的には映像コンテンツを含むデジタル放送コンテンツであり、同一の編集パターン情報を用いた編集対象となるコンテンツには、一般に予め同じ題名が付されて放送されることで、同一の編集パターン情報による編集対象であることを識別することが可能となる。なお、この場合のデジタル放送はＢＳデジタル放送、ＣＳデジタル放送、地上波デジタル放送のいずれであるかを問わない。また、デジタル放送に限定されるものではなく、アナログ放送にかかるコンテンツであってもよい。さらに、映像コンテンツを含まない、例えば音声のみのコンテンツであってもよい。
【００１７】
「編集部」は、取得したコンテンツ情報を編集パターン情報に基づいて編集するように構成されている。ここでの「編集」は、コンテンツ情報に対し視聴の便宜のために加工を施す処理をいい、編集の種類としては、コンテンツの一定範囲を「チャプター」として特定する、チャプターを複数設定してチャプターによってコンテンツを分割する、コンテンツの特定の位置を指定してその前後を二つのチャプターに分割する、コンテンツの特定のシーンを消去する、などがある。これらの編集を編集パターン情報に基づいて行うに際しては、上述のように、編集位置情報を利用して当該情報からコンテンツの先頭からの経過時間を計算により求める。
【００１８】
また、本実施例の記録再生装置は、本実施例の記録再生装置の機能ブロックの別の一例を示す図である図２に示すように、以上の構成に加えて、さらに「選択部」０２０４を有していてもよい。「選択部」は、編集パターン情報保持部に保持された複数の編集パターン情報から編集部にて利用させるための特定の編集パターン情報を選択するように構成されている。従って、この場合には、編集部は選択部が選択した特定の編集パターン情報を取得し、これに基づいてコンテンツ情報を編集することとなる。
【００１９】
次に、本実施例の装置のハードウェア構成について説明する。図３は本実施例の記録再生装置のハードウェア構成の一例を示す概略図である。本図に示すように、本例の装置の「編集パターン情報保持部」と、「コンテンツ情報取得部」とは、「記憶装置（記録媒体）」０３０１と、「メインメモリ」０３０２と、「ＣＰＵ」０３０３と、「インターフェイス」０３０４とを有し、それぞれ編集パターン情報、コンテンツ情報を記憶装置に記憶する。また、「編集部」は、「記憶装置（記録媒体）」と、「メインメモリ」と、「ＣＰＵ」と、「Ｉ／Ｏ」０３０５と「ディスプレイ」０３０６とを有する。さらに本図に示すように、本実施例の記録再生装置は「選択部」を有していてもよく、この場合、同部は「記憶装置（記録媒体）」と、「メインメモリ」と、「ＣＰＵ」とを有する。これらは「システムバス」０３０７などのデータ通信経路によって相互に接続され、情報の送受信や処理を行う。記憶装置はＣＰＵによって実行される各種プログラムなどを記憶している。またメインメモリは、プログラムがＣＰＵによって実行される際の作業領域であるワーク領域を提供する。また、このメインメモリや記憶装置にはそれぞれ複数のメモリアドレスが割り当てられており、ＣＰＵで実行されるプログラムは、そのメモリアドレスを特定しアクセスすることで相互にデータのやりとりを行い、処理を行うことが可能になっている。
【００２０】
編集部を構成する記憶装置には、編集プログラムが記憶されている。当該プログラムは、例えば記録再生装置の電源投入により自動的にメインメモリのワーク領域に展開されて常駐する。そして、編集を行う場合、ＣＰＵが、記憶装置に保持されている編集パターン情報とコンテンツ情報をメインメモリに読み出すとともに、編集プログラムを実行することにより編集処理を行う。編集処理を開始するトリガーとしては、例えば後述のようにユーザがディスプレイ上に表示された編集画面の編集開始用のアイコンをクリックすることが考えられるが、かかるユーザ操作を待たずに、コンテンツが記録されるとそのコンテンツ情報から適用すべき編集パターン情報を選択した上で、自動的に編集が行われるようにしてもよい。以下では、ユーザ操作に基づいて編集が開始される場合の例で説明するが、この場合には、例えば、選択部を構成するＣＰＵが選択プログラムを実行して記憶装置に保持されている編集パターン情報から選択した特定の情報に基づいて編集が行われる。
【００２１】
そこで、まず編集にかかるハードウェア構成の一例について説明する。この場合、記録再生装置の電源が投入されると、同装置のディスプレイ上にスタートメニューが表示される。図４は、かかるスタートメニューの表示例を示し、例えば再生、編集、予約、消去などの選択可能な項目がアイコンで表示されている。そこで、ユーザが編集処理を行うことを選択し、「編集」アイコン０４０１をマウス等でクリックした場合、これが上述の編集処理開始のトリガーとなり、編集部を構成するＣＰＵが編集処理の実行を開始する。この編集は、例えば、ユーザがディスプレイ上に表示されたアイコンをクリックすることにより画面が遷移し、それぞれの画面上のアイコンをユーザが選択してクリックすることで、それぞれの入力信号中に含まれる情報に従った処理を行うことで実行される。
【００２２】
ここで、このようなユーザ操作に基づく画面表示の遷移の一例について説明する。上述の「編集」アイコンがクリックされた場合、編集機能項目設定のための画面に遷移し、画面上に実行可能な編集機能項目のアイコンが一覧表示される。図５は、かかる一覧表示の一例を示す。本図の例のうち「テンプレート作成」とは、ある帯番組の第１回を録画した場合などに、次回以降に適用して繰り返し利用できるための編集用のテンプレートを作成する処理をいう。また、「プレイリスト作成」とは、実際に記録したコンテンツ（オリジナル・タイトル）に編集を加えるのではなく、オリジナル・タイトルをコピーして仮想的なコンテンツ（プレイリスト）を作成する処理をいう。また、「チャプター編集」とは、コンテンツをいくつかの区切り（チャプター）に分割した上で、そのチャプターに編集を加える処理（例えばあるチャプターを消去するなど）をいう。次に、ユーザが、例えば「テンプレート作成」アイコン０５０１を選択してクリックすると、作成するテンプレートの種類選択のための画面に遷移し、画面上にテンプレート種類選択のためのアイコンが一覧表示される。図６は、かかる一覧表示の一例を示す。本図の例のうち「チャプター分割」とは、コンテンツをいくつかのチャプターに分割する処理をいい、これはそのチャプターに編集を加える処理を行うための前提となるものである。また、「シーン消去」とは、コンテンツのある特定のシーンを消去する処理をいう。また、「サムネイル位置」とは、コンテンツの特定のシーンをサムネイルとして表示するためにその位置を決める処理をいう。なお、これらのテンプレートの種類は一例であって、これらに限定されるものではない。例えば、「編集ポイント特定」といったテンプレートの種類があってもよい。これは、編集の対象となるコンテンツ上の位置（編集ポイント）を特定する処理であって、具体的には、「しおり（チャプターマーク）作成」といった処理がこれに該当する。このような、コンテンツをチャプターに分割したり、特定のシーンを消去したり、サムネイル位置を決めたりといった編集処理を可能にするためには、コンテンツ上の編集位置を何らかの方法で特定することが必要となる。このために利用される情報が編集位置情報である。
【００２３】
次に、ユーザが、例えば、図６に示したアイコン一覧表示の中から「チャプター分割」アイコン０６０１を選択してクリックすると、テンプレートの作成方法選択のための画面に遷移し、画面上にテンプレート作成方法選択のためのアイコンが一覧表示される。図７は、かかる一覧表示の一例を示す。本図の例のうち「録画タイトルベース」とは、録画済みのタイトルと同じ編集位置でテンプレートを作成する方法であり、「マニュアル」とは、編集位置の時間を自由に指定してテンプレートを作成する方法である。以後、作成方法選択にかかるユーザの操作等に基づいて編集処理が実行されるが、その詳細については後述する。
【００２４】
ここで、ある帯番組の第１回放映分の録画済みコンテンツから編集パターン情報のテンプレートを作成し、この編集パターン情報のテンプレートを用いて同番組の第２回放映分に対して、同じ編集を施す具体的な要領の一例を説明する。本例のコンテンツは、毎週火曜日１９時から１９時３０分まで１１チャンネルで放映される連続ドラマ「Ｐ」であり、その中からカットすべきＣＭの位置が、各回とも先頭からの経過時間で０分００秒から０分３０秒までと１５分００秒から１５分３０秒までであるとする。また、録画したコンテンツの各フレームには、放送局で付与されて放送波で送信された一連番号の位置情報が付されている。また、フレームレートは３０ｆｐｓであるとする。図８は、このコンテンツを模式的に示したものである。本図に示すように、コンテンツの先頭からの経過時間で０分００秒から０分３０秒までと１５分００秒から１５分３０秒までにＣＭが挿入されており、また、コンテンツの各フレームには、先頭フレームの「００００１」から始まり、一連番号で示される位置情報が付与されている。従って、図示を省略したが最終フレームには「５４０００」で表される位置情報が付与されている。
【００２５】
そこで、まずこの第１回放映分に対するユーザ操作に基づく編集要領について説明する。ここでは、ＣＭ部分をカットする前提として、「チャプター分割」により、本コンテンツを０分００秒から０分３０秒までと、０分３０秒から１５分００秒までと、１５分００秒から１５分３０秒までと、１５分３０秒から３０分００秒までの４つのチャプターに分割する編集パターン情報のテンプレートを作成する場合について説明する。この第１回放映分の編集は、通例、ユーザが録画済みコンテンツを実際に再生してＣＭ位置を確認しつつ行われる。本例でも、かかるユーザ操作に基づいて、それぞれのＣＭ開始位置及び終了位置のシーンにチャプター分割点が打たれ、この結果、位置情報「００９０１」、「２７００１」、「２７９０１」を有する各フレームの直前にチャプター分割点が打たれる。図９は、当該コンテンツがかかる３箇所のチャプター分割点打ちにより４個のチャプター（チャプター「１」〜「４」）に分割された状態を模式的に示したものである。そしてこれらの編集位置情報を含む編集パターン情報がテンプレートとして、例えばコンテンツのタイトルやフレームレート、放映日時・チャンネルなどの関連情報や、これらを共有する複数のコンテンツに同一の符号等を付与する識別情報（ここでは「１１Ｔ１９Ｐ」とする）と関連付けられ、例えば図１０に示すようなテーブルとして記憶装置に記憶される。
【００２６】
次に、この編集パターン情報を利用して、同じドラマの第２回放映分について同じ位置でチャプター分割を行う編集を行う要領について説明する。この場合、まず記憶装置に記憶された第１回放映分の編集位置情報を含む編集パターン情報のテンプレートをメインメモリに読み出すとともに、第２回放映分の録画済みコンテンツ（又はそのコピー）もメインメモリに読み出される。第２回放映分のコンテンツの各フレームにも放送局で付与された位置情報が一連番号で付与されているが、この一連番号は第１回分と同じとは限らない。本例では、当該一連番号はやはり放送局でコンテンツに付与されて放送波で送信されたものであるが、コンテンツの先頭フレームには一連番号「３４５８９」で表される位置情報が付与されているとする。ただし、フレームレートは第１回放映分と同じであるとする。従って、最終フレームには、「８８５８８」で表される位置情報が付与されていることになる。そこで、この第２回放映分のコンテンツに対し、上記の編集パターン情報を利用して、第１回放映分と同じ位置にチャプター分割点を打つ。具体的は、例えば先頭から０分３０秒の位置にチャプター分割点を打つ場合、第１回放映分の先頭と先頭から０分３０秒の各編集位置情報「００００１」、「００９０１」を取得し、その差を計算により求める。その計算結果「９００」を第２回放映分に適用し、先頭の位置情報「３４５８９」に上記計算結果「９００」を加えて得られた「３５４８９」の位置にチャプター分割点を打つ。この結果、第２回放映分についても先頭から０分３０秒の位置にチャプター分割点が打たれたことになる。他の位置についても同様の処理によりチャプター分割点を打っていけば、第２回放映分についても、第１回放映分と同じ位置でのチャプター分割を行うことができることになる。なお、本例と異なり、第１回放映分と第２回放映分のフレームレートが異なっている場合には、この違いを勘案して計算すればよいので、やはり上記要領による処理は可能である。
【００２７】
図１１は、本実施例の編集プログラムの一例を示す図であって、編集パターン情報の作成にかかるプログラムの一例を上の具体例に即して示したものである。当該プログラムの命令内容は以下のとおりである。まず、第１回放映分にかかるコンテンツの識別情報をタイトル、放映曜日・日時、放映チャンネルなどの関連情報と関連付けて取得し、変数Ｘに格納する（図中の行番号００１）。この識別情報は、放送局からコンテンツに関連付けられて放送されたものをそのまま利用してもよいし、受信側でユーザ操作などに基づいて付与したものでもよい。次に、当該コンテンツの中からチャプター分割点を打つべき位置情報及びフレームレートを含む情報を編集パターン情報として取得し、変数Ｘに格納する（行番号００２）。この位置情報は、例えば、ユーザが録画したコンテンツを再生しつつ選択した位置にチャプター分割点を打つ操作に基づいて、当該チャプター分割点を打った位置の直後のシーンに含まれる位置情報として取得される。以上により、テンプレートの作成が完了したことになる。次に、第２回放映分にかかるコンテンツを識別情報及びタイトル、放映曜日・日時、放映チャンネルなどの関連情報と関連付けて取得し、変数Ｙに格納する（行番号００３）。この識別情報は第１回放映分の識別情報と共通である。この識別情報を取得するためには、例えば、ユーザが遷移画面を見ながら、録画済みコンテンツである第１回放映分のタイトル、放映曜日・時刻、放映チャンネルなどを参照して、今回録画した第２回放映分と共通するタイトル等を有するコンテンツを特定する操作を行い、この操作に基づいて第１回放映分に付与された識別情報を取得することにより行われる。次に、第２回放映分にかかるコンテンツの中から、先頭フレームの位置情報及びフレームレートを取得し、変数Ｙに格納する（行番号００４）。次に、変数Ｘに格納された編集パターン情報(テンプレート)を読み出し変数Ｙに格納する（行番号００５）、次に、変数Ｙに格納された第２回放映分の先頭フレームの位置情報及びフレームレートに基づいて、チャプター分割の対象となる位置を計算し、得られた計算結果（編集位置情報）を変数Ｙに格納する（行番号００６）。次に、変数Ｙに格納された編集位置情報に基づいて第２回放映分にかかるコンテンツの当該位置にチャプター分割点を打つ（行番号００７）。そして、上例のように編集すべき位置が複数ある場合は、当該処理を繰り返して実行し（行番号００８、００９）、すべての編集位置についての編集が完了したところで、当該処理が終了する（行番号０１０）。第３回放映分以降の編集処理の要領もこれと同様である。
【００２８】
次に、本実施例の記録再生装置の具体的な実施例について、図１２に基づいて説明する。本例では、記録再生装置は、デジタルテレビ放送受信機能を備えた記録再生装置である。本例の「記録再生装置」は、「デジタル放送受信手段」１２１１と、「情報源符号化手段」１２１２と、「情報源復号手段」１２１３と、「表示制御手段」１２１４と、「ストリーム制御手段」１２１５と、内蔵又は外付けの「磁気記憶装置」（以下と、単にＨＤという）もしくはＣＤ／ＤＶＤや半導体メモリ等のリムーバブル記録メディアの読み書きが可能な内蔵又は外付けの「リーダ／ライタ」（以下、単にリムーバブル記録メディアという）（図中では「記録メディア」１２１６としてまとめて図示）と、「ＯＳＤ（Ｏｎ  Ｓｃｒｅｅｎ  Ｄｉｓｐｌａｙ）生成手段」１２１７と、「システムコントロール手段」１２１８と、「ユーザ操作インターフェイス（リモコンＩ／Ｆ）」１２１９と、「編集情報記憶手段」１２２０とを備えている。このうち、「編集情報記憶手段」は「編集パターン情報保持部」を構成する要素である。また、「デジタル放送受信手段」と、「情報源符号化手段」と、「情報源復号手段」と、「表示制御手段」と、「ストリーム制御手段」と、「記録メディア」は、「コンテンツ情報取得部」を構成する要素である。さらに、「表示制御手段」と、「ＯＳＤ生成手段」と、「ストリーム制御手段」と、「ユーザ操作インターフェイス」と、「編集情報記憶手段」は、「編集部」を構成する要素である。
【００２９】
まず、デジタル放送を視聴する場合、アンテナから入力された高周波信号（デジタル変調信号）がデジタル放送受信手段で復調され、更に、情報源復号手段において、映像信号、音声信号に復号された後、表示制御手段に入力される。表示制御手段は、ＯＳＤ生成手段からの入力を合成してユーザインターフェイス信号を生成し、当該信号を図示しない表示装置の画面上に出力する。これによりユーザは、インターフェイス入力に対応したデジタル放送番組を視聴することができる。なお、本例では、デジタル放送受信のみを備えた構成としているがアナログ放送受信手段のみまたはアナログ放送受信手段とデジタル放送受信手段の両方を備えた構成としてもよい。次に、デジタル放送番組を記録する場合、アンテナから入力された高周波信号（デジタル変調信号）がデジタル放送受信手段で復調され、ストリーム制御手段を経由してＨＤ又はリムーバブル記録メディアに映像コンテンツとして記録される。さらに、再生動作を行う場合には、ＨＤ又はリムーバブル記録メディアに記録された映像データはストリーム制御手段を経由して情報源復号手段に入力され、情報源復号手段において映像出力可能な形式に変換されて表示制御手段から出力される。
【００３０】
次に、本実施例の情報記録再生装置は、ＨＤ又はリムーバブル記録メディアに記録された番組をチャプターに区切る編集機能を備え、この編集機能は表示制御手段、ＯＳＤ生成手段、システムコントロール手段、ユーザ操作インターフェイス、編集情報記憶手段を用いて実現される。この場合、まず、情報記録再生装置は、ＨＤ又はリムーバブル記録メディアに記録された番組から編集対象の番組を選択させるための選択画面を表示させ、その選択画面から選択された映像コンテンツに対して編集を行うための編集画面を表示させる。この選択画面や編集画面は、ＯＳＤ生成手段及びシステムコントロール手段により生成され、表示制御手段に入力される。表示制御手段は、ＯＳＤ生成手段からの選択画面や編集画面を表示制御する。また、選択画面や編集画面に対する指示入力は、図示しないリモコン等の入力装置及びユーザ操作インターフェイスを用いて行う。ユーザはリモコン等の入力装置を操作して、その操作情報をユーザ操作インターフェイスを介して入力する。システムコントロール手段は、上記編集画面から、編集情報をユーザに指定させて編集を行う。ここで指定される編集情報は、編集情報記憶手段に記憶されている情報であり、それをユーザに指定させる。更に、システムコントロール手段は、編集情報が選択されたときに上記選択画面で選択された映像コンテンツに対して指定された編集情報に基づき編集を実行する。
【００３１】
<処理の流れ>
図１３は、本実施例の記録再生装置における処理の流れの一例を示す図である。本図に示すように、まず、コンテンツ情報取得ステップＳ１３０１において、記録再生装置は、コンテンツ情報を取得する。さらに、編集ステップＳ１３０２において、記録再生装置は、前記コンテンツ情報取得ステップにて取得したコンテンツ情報を編集パターン情報に基づいて編集する。なお、本図には示されていないが、本実施例の処理の流れは、さらに編集パターン情報選択ステップを有していてもよく、この場合、当該ステップにおいて記録再生装置は、繰返し利用可能な編集位置情報を含む編集パターン情報を選択するとともに、編集ステップにおける編集は編集パターン情報選択ステップにて選択した編集パターン情報に基づいて行われる。なお、この場合においてコンテンツ情報取得ステップと編集パターン情報選択ステップの処理順序は問わない。
【００３２】
図１４は上記編集ステップにおける処理の流れの詳細について、その一例を示したものである。本図の例は、上で図４から図７までを用いて説明した例に即したものである。まず、記録再生装置は、ユーザ操作に基づいて、図４に示したようなスタートメニュー画面を表示する（ステップＳ１４０１）。そこで、当該スタートメニュー画面で「編集」が選択された場合（ステップＳ１４０２）、記録再生装置は、編集機能項目設定のための画面を表示する（ステップＳ１４０３）。次に、当該編集機能項目設定画面で「テンプレート作成」が選択された場合（ステップＳ１４０４）、記録再生装置は、テンプレートの種類選択のための画面を表示する（ステップＳ１４０５）。次に、当該テンプレート種類選択画面で「チャプター分割」が選択された場合（ステップＳ１４０６）、記録再生装置は、図７に示したようなテンプレートの作成方法選択のための画面を表示する（ステップＳ１４０７）。以後、作成方法選択にかかるユーザの選択（録画タイトルベースかマニュアルか）（ステップＳ１４０８）に従い、当該ユーザ操作等に基づいて編集処理が実行される（ステップＳ１４０９又はステップＳ１４１０）。
【００３３】
<効果>
本実施例の記録再生装置により、同一パターンの編集情報を繰返し利用して編集を行うことで、帯番組のような一定の位置にＣＭなどが挿入されている番組から不要なＣＭ部分をカットするなどの編集作業を、いちいち録画したコンテンツを再生することなく、簡易迅速に行うことが可能となる。
【実施例２】
【００３４】
<概要>
本実施例の記録再生装置は、基本的に実施例１の装置と共通するが、編集部は、取得したコンテンツ情報そのものに対して編集操作を実行する手段を有する。
【００３５】
<構成>
図１５は、本実施例の記録再生装置の機能ブロックの一例を示す図である。本例の装置は基本的に実施例１の装置と共通する。ただし、本実施例の「記録再生装置」１５００の「編集部」１５０３は、「直接編集手段」１５０５をさらに有する。「直接編集手段」は、取得したコンテンツ情報そのものに対して編集操作を実行するように構成されている。編集操作を実行する対象としては、前述のように、コンテンツ情報そのもの（オリジナル・タイトル）、オリジナル・タイトルをコピーして作成された仮想的なコンテンツ（プレイリスト）、あるいは、コンテンツそのものではなく、コンテンツの内容、属性等を示すデータといったものが考えられるが、本実施例がコンテンツ情報そのものを編集対象とするのは、他の場合に比べ、処理を簡単に行えるという利点を生かすことを目的とする。
【００３６】
かかる編集処理を行う場合の具体的構成を以下で説明する。ここでは、予めあるコンテンツの編集パターン情報が記憶装置に保持されているところから説明する。この編集パターン情報は、例えば実施例１に述べたように、録画済みのコンテンツＰ１（例えば連続ドラマ「Ｐ」第１回）に対し、ユーザ操作に基づいて作成されたテンプレートである。そこで、当該編集パターン情報を適用可能な別のコンテンツＰ２（例えば連続ドラマ「Ｐ」第２回）に対し、この編集パターン情報を用いて直接編集を施す場合、実施例１で述べたのと同様の要領により、コンテンツＰ２の編集すべき位置情報を得ることができる。そこで、本装置は、この位置情報で識別されるシーンの直前にチャプター分割点を打つという編集処理を行う。この編集に際しては、当該コンテンツに直接この編集データが書き込まれる。この結果、例えば、このようにして打たれたチャプター分割点によっていくつかのチャプターに分割されたコンテンツの中から、特定のチャプターを直接消去することなどが可能となる。
【００３７】
図１６は、本実施例の記録再生装置のうち直接編集手段を含む編集部のハードウェア構成の一例を示す概略図である。本図に示すように、本例の装置の「編集部」は、「記憶装置（記録媒体）」１６０１と、「メインメモリ」１６０２と、「ＣＰＵ」１６０３と、「Ｉ／Ｏ」１６０５と「ディスプレイ」１６０６とを有する。これらも「システムバス」１６０７などのデータ通信経路によって相互に接続されている。編集を行う場合、実施例１と同様に、ＣＰＵが、記憶装置に保持されている編集パターン情報をメインメモリに読み出すとともに、メインメモリの編集プログラムを実行することにより編集処理を行う。また、例えばユーザがディスプレイ上の遷移画面を見ながら行う操作に基づき編集処理が行われる点も実施例１と同様であるが、本例では、メインメモリにコンテンツそのものを読み出して、コンテンツの所定の領域に直接編集データを書き込む点に特徴がある。例えば、コンテンツがＭＰＥＧ２のシステム・ストリームのデータとして送信されたものであれば、ＴＳパケット列の各パケットのヘッダ中に格納された情報に直接上書することにより当該編集データが書き込まれる。
【００３８】
<処理の流れ>
図１７は、本実施例の記録再生装置における編集にかかる処理の流れの一例を示す図である。本実施例の処理の流れは、基本的に実施例１について図１４で示した処理の流れと共通する。ただし、編集機能項目設定画面の表示ステップＳ１７０３にて表示された項目のうち、ユーザは例えば「チャプター編集（直接編集）」を選択し、当該選択に基づく入力信号を記録再生装置が受信すると（ステップＳ１７０４）、記憶装置に保持されている編集パターン情報をメインメモリに読み出すとともに（ステップＳ１７０５）、編集対象たるコンテンツもメインメモリに読み出し（ステップＳ１７０６）（ただし、ステップＳ１７０５とステップＳ１７０６の処理順序は問わない）、取得したコンテンツ情報そのものに対して編集（直接編集）を実行する（ステップＳ１７０７）。その余の処理の流れは、実施例１と同じであるから、説明を省略する。
【００３９】
<効果>
本実施例の記録再生装置により、同一パターンの編集情報を繰返し利用して編集を行う処理を直接コンテンツに対して行うことで、当該処理を簡易迅速に行うことが可能となる。
【実施例３】
【００４０】
<概要>
本実施例の記録再生装置は、基本的に実施例１の装置と共通するが、プレイリストに従って再生する手段を有するとともに、編集部は、取得したコンテンツ情報そのものに対しては編集操作を実行せず、取得したコンテンツ情報のプレイリストを生成編集する手段を有する点に特徴がある。
【００４１】
<構成>
図１８は、本実施例の記録再生装置の機能ブロックの一例を示す図である。本例の装置は基本的に実施例１の装置と共通する。ただし、本実施例の「記録再生装置」１８００は、「プレイリスト再生部」１８０６をさらに有するとともに、「編集部」１８０３は「間接編集手段」１８０７を有する。「プレイリスト再生部」は、プレイリストに従って再生するように構成されている。また、「間接編集手段」は、取得したコンテンツ情報そのものに対しては編集操作を実行せず、取得したコンテンツ情報のプレイリストを生成編集するように構成されている。本実施例がコンテンツ情報そのものではなく、これをコピーした仮想的なコンテンツであるプレイリストを編集対象とするのは、コピー元のオリジナル・コンテンツを残しておくことで、編集に際して万一誤って必要な部分をカットしてしまった場合でも復元を可能にすることを目的とする。
【００４２】
図１９は、本実施例の記録再生装置のうちプレイリスト再生部及び間接編集手段を含む編集部のハードウェア構成の一例を示す概略図である。本図に示すように、本例の装置のうち、「プレイリスト再生部」及び「編集部」は、「記憶装置（記録媒体）」１９０１と、「メインメモリ」１９０２と、「ＣＰＵ」１９０３と、「Ｉ／Ｏ」１９０５と「ディスプレイ」１９０６とを有する。これらも「システムバス」１９０７などのデータ通信経路によって相互に接続されている。編集を行う場合、実施例１と同様に、ＣＰＵが、記憶装置に保持されている編集パターン情報をメインメモリに読み出すとともに、メインメモリの編集プログラムを実行することにより編集処理を行う。また、例えばユーザがディスプレイ上の遷移画面を見ながら行う操作に基づき編集処理が行われる点も実施例１と同様であるが、本例では、取得したコンテンツ情報そのものに対しては編集操作を実行せず、取得したコンテンツ情報のプレイリストを生成編集する点に特徴がある。この場合、例えば、ユーザ操作等をトリガーとしてＣＰＵが編集プログラムを実行する際に、まず、録画されたコンテンツがメインメモリに読み出される。次に、当該コンテンツを複写してプレイリストを生成し、これをメインメモリに保持する。複写されたコンテンツに対する編集要領は、実施例２でコンテンツ情報そのものに対して編集操作を実行する場合について説明したところと同様である。
【００４３】
<処理の流れ>
図２０は、本実施例の記録再生装置における編集にかかる処理の流れの一例を示す図である。本実施例の処理の流れは、基本的に実施例１と共通する。本実施例の処理の流れは、基本的に実施例１について図１４で示した処理の流れと共通する。ただし、編集機能項目設定画面の表示ステップＳ２００３にて表示された項目のうち、ユーザは例えば「チャプター編集（間接編集）」を選択し、当該選択に基づく入力信号を記録再生装置が受信すると（ステップＳ２００４）、記憶装置に保持されている編集パターン情報をメインメモリに読み出すとともに（ステップＳ２００５）、プレイリストもメインメモリに読み出し（ステップＳ２００６）（ただし、ステップＳ２００５とステップＳ２００６の処理順序は問わない）、取得したプレイリストに対して編集（間接編集）を実行する（ステップＳ２００７）。その余の処理の流れは、実施例１と同じであるから、説明を省略する。
【００４４】
<効果>
本実施例の記録再生装置により、コンテンツ情報そのものではなく、これをコピーした仮想的なコンテンツであるプレイリストを編集対象とするため、コピー元のオリジナル・コンテンツを残しておくことができ、編集に際して万一誤って必要な部分をカットしてしまった場合でも復元が可能となる。
【実施例４】
【００４５】
<概要>
本実施例の記録再生装置は、基本的に実施例１から３のいずれか一の装置と共通するが、保持すべき編集パターン情報を録画済みコンテンツ情報から取得する手段をさらに有する点に特徴がある。
【００４６】
<構成>
図２１は、本実施例の記録再生装置の機能ブロックの一例を示す図である。本例の装置は基本的に実施例１から３のいずれか一の装置と共通する。ただし、本実施例の「記録再生装置」２１００は、「編集パターン情報生成部」２１０８を有する。「編集パターン情報生成部」は、保持すべき編集パターン情報を録画済みコンテンツ情報から生成するように構成されている。編集パターン情報を録画済みコンテンツ情報から生成するというのは、次に述べるマニュアルで生成するのに対置されるもので、例えば帯番組の第２回放映分の編集を、第１回放映分（ここでは、これが録画済みコンテンツ情報に該当する）について作成済みの編集パターン情報をそのまま利用して同じ編集位置でテンプレートを作成するために当該第１回放映分の編集パターン情報を生成することである。かかる構成は、録画済みコンテンツ情報に施された編集にかかる編集パターン情報を生成し、これを繰り返し利用することで、帯番組などの編集を簡易迅速に行えるようにすることを目的とする。生成される編集パターン情報は、録画済みのコンテンツ情報そのもの（オリジナル・タイトル）であってもよく、例えば、録画済みコンテンツが前述の連続ドラマ「Ｐ」第１回放映分である場合に、これに対して当該コンテンツを３個のチャプターに分割する編集を施した場合に、その編集済みコンテンツそのものを編集パターン情報とすることであり、これをそのままして第２回放映分等の編集に用いる場合がこれに該当する。ただし、編集パターン情報はこれに限られず、例えば、オリジナル・タイトルをコピーして作成された仮想的なコンテンツ（プレイリスト）であってもよい。あるいは、コンテンツそのものではなく、コンテンツの内容、属性等を示すデータであってもよい。
【００４７】
次に、編集パターン情報を録画済みコンテンツ情報から生成するための具体的な構成の一例について説明する。例えば、実施例１について図４‐７で遷移画面に基づいてユーザ操作がなされ、図７に示したアイコン一覧表示の中からユーザが「録画タイトルベース」を選択すると、以後、編集パターン情報を録画済みコンテンツ情報から生成してテンプレートを作成する方法にかかる編集処理が実行される。この場合、ユーザが「録画タイトルベース」をクリックすると、録画済みタイトルを選択するための参照元録画リスト画面が表示される。図２２は参照元録画リスト画面の一例である。ここでユーザが、例えば録画した「ハングル語講座『明日ソウルへ行きます』」（便宜上「コンテンツ」『Ｈ２』とする）を編集するための参照元とする録画タイトルとして、「ハングル語講座『これは何ですか？』」（便宜上「コンテンツ」『Ｈ１』とする）を選択したとする。このコンテンツ「Ｈ１」は、録画後に不要な部分（テーマ音楽）をカットするため、既に、当該不要部分である先頭からの経過時間で０分００秒から０分１５秒までと９分４５秒から１０分００秒までを削除する編集が施され、編集パターン情報として当該コンテンツ「Ｈ１」と関連付けられて記憶装置に保持されている。そこで、ユーザが当該編集パターン情報を用いてコンテンツ「Ｈ２」に対してもコンテンツ「Ｈ１」と同じ編集位置でテンプレートを作成したい場合、ユーザ操作に基づいて、編集部の間接編集手段が、当該編集パターン情報を取得し、Ｈ２に適用してテンプレートを作成する。あるいは、直接Ｈ２に編集を施してもよいし、Ｈ２をコピーしたプレイリストに対して編集を施してもよい。図２３はかかるユーザ操作に基づいてテンプレートを作成する場合の、ユーザ操作のための遷移画面の一例を示す図である。同図は、図２２においてコンテンツ「Ｈ２」が選択されてクリックされると表れる画面であり、ユーザが「する」アイコン２３０１をクリックすると、当該操作にもとづいてテンプレートを作成する編集が実行される。
【００４８】
図２４は、本実施例の記録再生装置のうち編集パターン情報生成部のハードウェア構成の一例を示す概略図である。本図に示すように、本例の装置のうち、「編集パターン情報生成部」は、「記憶装置（記録媒体）」２４０１と、「メインメモリ」２４０２と、「ＣＰＵ」２４０３と、「Ｉ／Ｏ」２４０５と「ディスプレイ」２４０６とを有する。これらも「システムバス」２４０７などのデータ通信経路によって相互に接続されている。記憶装置には録画済みコンテンツ情報が記憶されている。また、記憶装置には編集パターン情報生成プログラムも記憶されている。そこで、記録再生装置が編集パターン情報を保持しようとする場合、ＣＰＵが編集パターン情報生成プログラムをメインメモリに展開し、当該プログラムを実行することにより、録画済みコンテンツ情報に含まれる編集パターン情報を生成して、これをメインメモリに一旦保持した後、記憶装置に保持する。このプログラムの実行は、例えば、ユーザによるディスプレイ上に表示された編集画面上のアイコンクリックなどをトリガーとして行われる。これにより、記録再生装置は、以後必要の都度当該編集パターン情報をメインメモリに読み出し、これを利用してコンテンツ情報の編集を行うことができる。
【００４９】
<処理の流れ>
図２５は、本実施例の記録再生装置における処理の流れの一例を示す図である。本図に示すように、まず、コンテンツ情報取得ステップＳ２５０１において、記録再生装置は、コンテンツ情報を取得する。次に、編集パターン情報生成ステップＳ２５０２において、記録再生装置は、保持すべき編集パターン情報を録画済みコンテンツ情報から生成する。次に、編集ステップＳ２５０３において、記録再生装置は、前記コンテンツ情報取得ステップにて取得したコンテンツ情報を、前記ステップＳ２５０２にて生成した編集パターン情報に基づいて編集する。
【００５０】
<効果>
本実施例の記録再生装置により、録画済みコンテンツ情報に施された編集にかかる編集パターン情報を生成し、これを繰り返し利用することで、帯番組などの編集を簡易迅速に行えるようになる。
【実施例５】
【００５１】
<概要>
本実施例の記録再生装置は、基本的に実施例１から４のいずれか一の装置と共通するが、保持すべき編集パターン情報をユーザ（利用者）に作成させる手段をさらに有する点に特徴がある。
【００５２】
<構成>
図２６は、本実施例の記録再生装置の機能ブロックの一例を示す図である。本例の装置は基本的に実施例１から５のいずれか一の装置と共通する。ただし、本実施例の「記録再生装置」２６００は、「編集パターン情報作成部」２６０９をさらに有する。「編集パターン情報作成部」は、保持すべき編集パターン情報を利用者に作成させるように構成されている。これは、同じ帯番組などであっても、ユーザが自分の好みなどに応じて番組ごとに編集内容を変えたい場合や、何らかの事情によりユーザが放映内容を再生して確認しつつ編集を施したい場合に利用可能なことを目的とする。例えば、「連続ドラマ『Ｐ』」のある回のみ好みのＣＭが含まれている可能性があるので、再生して確認しつつ好みのＣＭであればカットしない編集を施したい場合とか、「ハングル語講座」の第１回放映分のみ放映内容が、前半の「講座編」と後半の「韓国ドラマ体験編」に分かれているので、再生してその区切り位置を確認しつつチャプター分割したい場合などが考えられる。また、その際の編集方法は、例えば、ユーザがコンテンツの先頭からの経過時間を指定して入力を行い、当該時間に基づいて編集位置情報を計算し、当該編集位置情報を含む編集パターン情報を作成するようにしてもよい。この場合には、本実施例の記録再生装置の「編集パターン情報作成部」は、編集パターン情報に含むべき編集位置情報を時間指定にて入力するための「時間指定入力手段」２６１０を有していることが望ましい。あるいは、ユーザが録画済みコンテンツを再生しつつ特定の位置を指定して入力することに基づいて編集パターン情報を作成するようにしてもよい。
【００５３】
図２７は、本実施例の記録再生装置のうち、編集パターン情報作成部にかかるハードウェア構成の一例を示す概略図である。本図に示すように、編集パターン情報作成部は、「記憶装置（記録媒体）」２７０１と、「メインメモリ」２７０２と、「ＣＰＵ」２７０３と、「Ｉ／Ｏ」２７０５と、「ディスプレイ」２７０６を有する。これらも「システムバス」２７０７などのデータ通信経路によって相互に接続されている。編集パターン情報の作成を行う場合、ＣＰＵが、記憶装置に保持されている録画済みコンテンツにかかるコンテンツ情報をメインメモリに読み出すとともに、メインメモリの編集パターン情報作成プログラムを実行することにより作成処理を行う。また、本実施例ではユーザがディスプレイ上の遷移画面を見ながら行う操作に基づく操作信号を受け付けることにより編集パターン情報の作成処理が行われる。例えば、図７と同様のテンプレート作成方法選択画面において、同図と異なり「マニュアル」が選択された場合、例えば、画面が図２８に示す録画済みコンテンツリスト一覧画面に遷移する。そこで、ユーザが「ハングル語講座『これは何ですか？』」２８０１をクリックすると、ＣＰＵが当該ユーザ操作に基づく入力信号を受け付け、記憶装置から当該コンテンツのコンテンツ情報をメインメモリに読み出すとともに、画面を図２９に示す当該コンテンツの編集パターン情報作成画面に遷移させ、当該遷移画面をＩ／Ｏを介してディスプレイに表示する。そこで、例えば、ユーザが、テーマ音楽の位置に加え前半の「講座編」と後半の「韓国ドラマ体験編」の区切り位置でもチャプター分割したい場合には、ユーザがまず同画面で「編集」２９０１をクリックすると、当該ユーザ操作に基づいてどの編集を行うかを尋ねるボックス２９０２が表示される。そこで、ユーザが「チャプター分割」２９０３をクリックすると、当該ユーザ操作に基づいて画面が図３０に示すようなチャプターの分割方法を問う画面に遷移する。そこで、ユーザが「手動」３００１をクリックすると、当該ユーザ操作に基づいて画面が図３１に示すような分割方法を問う画面に遷移し、ユーザが「時間指定」３１０１をクリックすると、当該ユーザ操作に基づき画面が図３２に示すような時間指定入力画面に遷移する。そこで、例えば、ユーザが、テーマ音楽の区切り位置（０分１５秒、９分４５秒）のほかに、「講座編」と後半の「韓国ドラマ体験編」の区切り位置を再生により４分３３秒であることを確認しつつ、当該時間を指定して画面に入力し、決定して次画面に遷移させるアイコンをクリックすると、画面が図３３に示すような編集パターン情報作成を実行するか否かを尋ねる画面に遷移する。そこで、ユーザが「する」３３０１をクリックすると、当該ユーザ操作に基づく入力を受け付けて編集パターン情報生成部を構成するＣＰＵが、当該時間指定を内容とする編集パターン情報を作成する。作成された編集パターン情報はメインメモリに一旦保持された後、記憶装置に記憶される。
【００５４】
<処理の流れ>
図３４は、本実施例の記録再生装置における処理の流れのうち、編集パターン情報をユーザに作成させる処理の流れの一例を示す図である。本図は、図１４に示した処理の流れにおいて、作成方法選択ステップＳ１４０８において、「マニュアル」が選択された場合の以後の流れを、上述の「ハングル語講座」にかかる編集パターン情報を作成する場合の例に即して説明したものである。まず、図示を省略した作成方法選択ステップにおいて「マニュアル」が選択された場合、記録再生装置は、コンテンツリスト一覧画面を表示する（ステップＳ３４０１）。次に、「ハングル語講座『これは何ですか？』」を選択するユーザ操作信号を受け付けると（ステップＳ３４０２）、記録再生装置が当該コンテンツの編集パターン情報作成画面を表示する（ステップＳ３４０３）。次に、ユーザが同画面で「編集」を選択するユーザ操作信号を記録再生装置が受け付けると（ステップＳ３４０４）、記録再生装置は、どの編集を行うかを尋ねるボックス（編集種類選択画面）を表示する（ステップＳ３４０５）。次に、「チャプター分割」を選択するユーザ操作信号を受け付けると（ステップＳ３４０６）、記録再生装置は、チャプターの分割方法を問う画面（チャプター分割方法選択画面）を表示する（ステップＳ３４０７）。次に、「手動」を選択するユーザ操作信号を受け付けると（ステップＳ３４０８）、記録再生装置は、分割方法を問う画面を表示する（ステップＳ３４０９）。次に、「時間指定」を選択するユーザ操作信号を受け付けると（ステップＳ３４１０）、記録再生装置は、時間指定入力画面を表示する（ステップＳ３４１１）。そこで、ユーザが、テーマ音楽の区切り位置（０分１５秒、９分４５秒）のほかに、「講座編」と後半の「韓国ドラマ体験編」の区切り位置を再生により４分３３秒であることを確認しつつ、当該時間を指定して入力し、「決定」アイコンをクリックし、記録再生装置が当該入力信号を受け付けると（ステップＳ３４１２）、記録再生装置は、編集パターン情報作成を実行するか否かを尋ねる画面を表示する（ステップＳ３４１３）。そこで、ユーザが「する」をクリックし、記録再生装置が当該ユーザ操作に基づく入力を受け付けると（ステップＳ３４１４）、記録再生装置は、編集パターン情報を生成して取得する（ステップＳ３４１５）。
【００５５】
<効果>
本実施例の記録再生装置により、同じ帯番組などであっても、ユーザが自分の好みなどに応じて番組ごとに編集内容を変えたい場合や、何らかの事情によりユーザが放映内容を再生して確認しつつ編集を施したい場合にも利用可能な編集パターン情報を作成可能な記録再生装置を提供することができる。
【実施例６】
【００５６】
<概要>
本実施例の記録再生装置は、基本的に実施例５の装置と共通するが、編集パターン情報作成部が、編集パターン情報に含むべき編集位置情報を録画済みコンテンツを再生して特定の位置を指定して入力するための手段をさらに有する点に特徴がある。
【００５７】
<構成>
図３５は、本実施例の記録再生装置の機能ブロックの一例を示す図である。本例の装置は基本的に実施例５の装置と共通する。ただし、本実施例の「記録再生装置」３５００の「編集パターン情報作成部」３５０９は、「再生指定入力手段」３５１１をさらに有する（なお、実施例５において図２６で示した時間指定入力手段は有していてもいなくてもよい）。「再生指定入力手段」は、編集パターン情報に含むべき編集位置情報を録画済みコンテンツを再生して特定の位置を指定して入力するためのものである。これは、実施例５の場合と異なり、ユーザが編集したい位置のコンテンツ先頭からの経過時間を知らなくても、再生中の当該位置を直接指定することで簡易に編集が行えるようにすることを目的とする。従って、ユーザは当該再生位置の位置情報を知る必要もなく、単に現在再生中の位置を指定して所定の入力（例えば編集方法を指定した入力）を行えば、自動的に当該位置にかかる編集パターン情報の作成が可能となる。
【００５８】
図３６は、本実施例の記録再生装置のうち、編集パターン情報作成部にかかるハードウェア構成の一例を示す概略図である。本図に示すように、編集パターン情報作成部は、「記憶装置（記録媒体）」３６０１と、「メインメモリ」３６０２と、「ＣＰＵ」３６０３と、「Ｉ／Ｏ」３６０５と、「ディスプレイ」３６０６を有する。これらも「システムバス」３６０７などのデータ通信経路によって相互に接続されている。本実施例における編集パターン情報の作成にかかる構成は、実施例５と基本的に共通する。ただし、例えば実施例５と同じようにユーザが「ハングル語講座『これは何ですか？』」についてテーマ音楽の位置に加え前半の「講座編」と後半の「韓国ドラマ体験編」の区切り位置でもチャプター分割したい場合、例えばまず、ユーザがコンテンツ先頭から１５秒の位置（最初のテーマ音楽終了位置）まで再生して一時停止させると、ＣＰＵが当該ユーザ操作にかかる入力信号を受け付け、当該再生停止位置にかかる再生停止位置情報を生成してメインメモリに一旦保持する。そして、上述の遷移画面操作と同様の操作を図３１に示した分割方法を問う画面を表示させるところまで行う。そこで、ユーザが「特定位置指定」をクリックすると、当該ユーザ操作に基づいて、画面を図３７に示すような当該特定位置の再生位置でチャプター分割を行うか否かを尋ねる画面に遷移させる。そこで、ユーザが、「する」３７０１をクリックすると、ＣＰＵが当該ユーザ操作に基づく信号を受け付け、他方で上述の再生停止位置情報を読み出し、当該位置にチャプター分割のための分割点を指定する編集が施される。同様の手順にて、順次分割点を指定し、チャプター分割を行う。このようにしてＣＰＵが編集パターン情報を作成する。作成された編集パターン情報はメインメモリに一旦保持された後、記憶装置に記憶される。
【００５９】
<処理の流れ>
図３８は、本実施例の記録再生装置における処理の流れのうち、編集パターン情報をユーザに作成させる処理の流れの一例を示す図である。本図も、図１４に示した処理の流れにおいて、作成方法選択ステップＳ１４０８で「マニュアル」が選択された場合の以後の流れを、上述の「ハングル語講座」にかかる編集パターン情報を作成する場合の例に即して説明したものである。本図の処理の流れは基本的に図３４で示した実施例５の処理の流れと共通する。ただし、本実施例における処理の流れは、ユーザ操作に基づいてコンテンツを再生、一時停止がなされると、当該一時停止位置にかかる再生停止位置情報を取得するステップＳ３８０１を有する。また、記録再生装置が分割方法を問う画面を表示し（ステップＳ３８１０）、「特定位置指定」を選択するユーザ操作信号を受け付けると（ステップＳ３８１１）、記録再生装置は、現在の再生位置でチャプター分割を行うか否かを尋ねる画面（特定位置指定入力画面）を表示する（ステップＳ３８１２）。そこで、ユーザが、「する」をクリックし、記録再生装置が当該ユーザ操作に基づく入力を受け付けると（ステップＳ３８１３）、記録再生装置は、前記ステップＳ３８０１にて取得した再生停止位置の位置情報を読み出し（ステップＳ３８１４）、当該位置にチャプター分割のためのチャプター分割点を指定する編集を施す（ステップＳ３８１５）。同様の手順にて、順次分割点を指定し、チャプター分割を行う。このようにしてＣＰＵが編集パターン情報を作成して取得する。
【００６０】
<効果>
本実施例の記録再生装置により、ユーザが編集したい位置のコンテンツ先頭からの経過時間を知らなくても、再生中の当該位置を直接指定することで簡易に編集が行える記録再生装置を提供することが可能となる。
【実施例７】
【００６１】
<概要>
本実施例の記録再生装置は、基本的に実施例１から７のいずれか一の装置と共通するが、編集パターン情報保持部に保持されている編集パターン情報を構成する情報を追加・変更・削除するための手段をさらに有する点に特徴がある。
【００６２】
<構成>
図３９は、本実施例の記録再生装置の機能ブロックの一例を示す図である。本例の装置は基本的に実施例１から７のいずれか一の装置と共通する。ただし、本実施例の「記録再生装置」３９００は、「編集パターン情報編集部」３９１２をさらに有する。「編集パターン情報編集部」は、編集パターン情報保持部に保持されている編集パターン情報を構成する情報を追加・変更・削除するためのものである。例えば、編集パターン情報を構成する情報を追加する場合としては、一旦録画した「ハングル語講座」のある回の放映分を再生したところ、他の回と異なり、本編部分が「基礎編」と「応用編」に区分されていることが判明したため、両者の区切り位置にチャプター分割点を追加する場合が考えられる。また、変更する場合としては、例えば、録画済みコンテンツを再生したところ、ＣＭ位置を特定するためのチャプター分割点が何らかの事情でずれてしまったことが判明したため、これを正しい位置に変更する場合が考えられる。また、削除する場合とは、例えば、録画済みコンテンツを再生したところ、お気に入りのＣＭが含まれており、その部分をカットする必要がなくなったため、一旦当該位置に付されたチャプター分割点を削除する場合が考えられる。このように、本実施例の装置は、一旦編集されたコンテンツに対し、その編集パターン情報を後刻再編集する必要が生じる場合に対応できるようにすることを目的とする。
【００６３】
図４０は、本実施例の記録再生装置のうち編集パターン情報編集部にかかるハードウェア構成の一例を示す概略図である。編集パターン情報作成部にかかるハードウェア構成の一例を示す概略図である。本図に示すように、編集パターン情報編集部は、「記憶装置（記録媒体）」４００１と、「メインメモリ」４００２と、「ＣＰＵ」４００３と、「Ｉ／Ｏ」４００５と、「ディスプレイ」４００６を有する。これらも「システムバス」４００７などのデータ通信経路によって相互に接続されている。本実施例における編集パターン情報の編集にかかる構成は、以下のとおりである。まず、記憶装置には編集パターン情報編集プログラムが記憶されている。また、記憶装置には、録画済みコンテンツについて一旦作成された編集パターン情報も記憶されている。そこで、例えば、記録済みコンテンツの編集パターン情報を編集する（ここでは仮にチャプター分割点を１個追加する編集を施すものとする）場合、ＣＰＵは、当該編集にかかるユーザ操作信号などを受け付けると、当該コンテンツについて作成済みの編集パターン情報をメインメモリに読み出す。この編集パターン情報の識別は、例えばユーザが「連続ドラマ『Ｐ』」のある回を対象として当該コンテンツを画面上で選択、クリックすることで、当該信号に当該コンテンツにかかる識別情報が関連付けられて取得され、当該識別情報に基づいて、ＣＰＵが記憶装置に記憶された編集パターン情報の中から同じ識別情報と関連透けられた編集パターン情報を選択することで実現される。次に、ＣＰＵは編集パターン情報編集プログラムを実行して、当該読み出した編集パターン情報に、ユーザ操作信号に基づく編集（本例では、チャプター分割点を１個追加する編集）を施す。
【００６４】
<処理の流れ>
図４１は、本実施例の記録再生装置における処理の流れの一例を示す図である。本実施例の処理の流れは、基本的に実施例１から７のいずれか一の処理の流れと共通する。ただし、本例の処理の流れは、編集パターン情報編集ステップＳ４１０２を有する。当該ステップにおいて、記録再生装置は、編集パターン情報を構成する情報を追加・変更・削除する処理を行う。図４２は、当該編集パターン情報編集ステップにおける処理の流れの詳細を示す。まず、記録再生装置が編集にかかるユーザ操作信号などを受け付けると（ステップＳ４２０１）、記録再生装置は、当該コンテンツについて作成済みの編集パターン情報をメインメモリに読み出す（ステップＳ４２０２）。次に、記録再生装置は、当該読み出した編集パターン情報に、ユーザ操作信号に基づく編集を施す（ステップＳ４２０３）。
【００６５】
<効果>
本実施例の記録再生装置により、一旦編集されたコンテンツに対し、その編集パターン情報を後刻再編集する必要が生じる場合に対応することが可能となる。
【実施例８】
【００６６】
<概要>
本実施例の記録再生装置は、基本的に実施例７の装置と共通するが、編集パターン情報のファイル名の付加・変更・削除をするための手段をさらに有する点に特徴がある。
【００６７】
<構成>
図４３は、本実施例の記録再生装置の機能ブロックの一例を示す図である。本例の装置は基本的に実施例７の装置と共通する。ただし、本実施例の「記録再生装置」４３００の「編集パターン情報編集部」４３１２は、「編集パターン情報名編集手段」４３１３をさらに有する。「編集パターン情報名編集手段」は、編集パターン情報のファイル名の付加・変更・削除をするためのものである。ファイル名での付加・変更・削除といった編集を行うのは、これによりコンテンツを識別することが可能となり、いちいちコンテンツ情報そのものを保持したり、これを再生したりする必要をなくすことで、編集を簡易迅速に行えるようにすることを目的とする。付加・変更・削除にかかる構成自体は、実施例７で編集パターン情報について説明したところと同様である。
【００６８】
図４４は、本実施例の記録再生装置のハードウェア構成の一例を示す概略図である。本実施例の装置のハードウェア構成は、基本的に実施例８と共通する。ただし、本例の装置では、ＣＰＵは記憶装置に保持されている編集パターン情報のうちファイル名だけを読み出して、付加・変更・削除といった編集を行う点が異なる。その余の構成は、実施例８の装置と同様であるから説明を省略する。
【００６９】
<処理の流れ>
図４５は、本実施例の記録再生装置における処理の流れの一例を示す図である。本実施例の処理の流れは基本的に実施例８と共通する。ただし、編集パターン情報の読出しステップＳ４５０２において、記録再生装置は、編集パターン情報のうちファイル名だけを読み出して編集を行う。
【００７０】
<効果>
本実施例の記録再生装置により、いちいちコンテンツ情報そのものを保持したり、これを再生したりする必要をなくすことで、編集を簡易迅速に行えるようにすることが可能となる。
【実施例９】
【００７１】
<概要>
本実施例の記録再生装置は、基本的に実施例１から８いずれか一の装置と共通するが、「録画予約部」をさらに有するとともに、選択部が録画予約情報に基づいて前記選択をする手段を有し、編集部が録画予約部による予約された録画の実行の際に又は録画の実行の後に前記編集を行うように構成されている点に特徴がある。
【００７２】
<構成>
図４６は、本実施例の記録再生装置の機能ブロックの一例を示す図である。本例の装置は基本的に実施例１から８のいずれか一の装置と共通する。ただし、本実施例の「記録再生装置」４６００は、「録画予約部」４６１４をさらに有する。また、「選択部」４６０４は「録画情報依存選択手段」４６１５を有する。「録画情報依存選択手段」は、録画予約情報に基づいて前記選択をするように構成されている。その際、「録画情報依存選択手段」は、録画予約情報が毎週の繰り返し録画予約をするための繰返し録画予約情報である場合には、繰返しコンテンツのなかで既に録画されたコンテンツのコンテンツ情報に関連付けられている編集パターン情報を選択するように構成されていてもよい。またその際に、編集パターン情報には常にコンテンツのタイトル（番組名）が含まれるように生成されており、録画予約情報中に含まれる同じタイトルに基づいて当該編集パターン情報を選択するようにしてもよい。また、「編集部」は、録画予約部による予約された録画の実行の際に又は録画の実行の後に、前記編集を行うように構成されている。
【００７３】
図４７は、本実施例の記録再生装置のうち、録画予約部及び録画情報依存選択手段にかかるハードウェア構成の一例を示す概略図である。本図に示すように、録画予約部及び録画情報依存選択手段は、「記憶装置（記録媒体）」４７０１と、「メインメモリ」４７０２と、「ＣＰＵ」４７０３と、「Ｉ／Ｏ」４７０５と、「ディスプレイ」４７０６を有する。これらも「システムバス」４７０７などのデータ通信経路によって相互に接続されている。記憶装置には予め録画プログラム及び選択プログラムが記憶されている。そこで例えば、ユーザがあるコンテンツを録画したいと考えて、図示を省略したリモコン操作などにより所定の録画予約のための操作を行うと、当該操作信号を受け付けて、ＣＰＵが録画プログラムを実行して録画予約を実行する。録画予約情報は、メインメモリに一旦保持される。次に、編集を行うためのユーザ操作等に基づいて、ＣＰＵが選択プログラムを実行して、編集に利用する編集パターン情報を選択する場合、ＣＰＵは前記の処理によりメインメモリに保持されている録画予約情報を読み出し、当該録画予約情報に基づいて編集パターン情報の選択を行う。なお、選択にかかる構成自体は実施例１で説明したところと共通するので、ここでは説明を省略する。
【００７４】
<処理の流れ>
図４８は、本実施例の記録再生装置における処理の流れの一例を示す図である。本実施例の処理の流れは実施例１から８のいずれか一の流れと基本的に共通する。ただし、本実施例の処理の流れは、録画予約ステップＳ４８０１を有するとともに、編集パターン情報選択ステップＳ４８０３における編集パターン情報の選択は前記ステップＳ４８０１にて録画予約した録画予約情報に依存してなされる。その余の処理の流れは、実施例１から８のいずれか一と同様であるから説明を省略する。
【００７５】
<効果>
本実施例の記録再生装置により、録画予約情報に依存して編集パターン情報を選択できるので、編集をより効率的に行うことが可能となる。
【実施例１０】
【００７６】
<概要>
本実施例の記録再生装置は、基本的に実施例１から９のいずれか一の装置と共通するが、コンテンツ情報取得部が、編集すべきコンテンツ情報として複数のコンテンツに関するコンテンツ情報を一括して取得する手段を有し、編集部が、前記手段にて取得されたコンテンツ情報に対して一括編集を実行する手段を有するに特徴がある。
【００７７】
<構成>
図４９は、本実施例の記録再生装置の機能ブロックの一例を示す図である。本例の装置は基本的に実施例１から１４のいずれか一の装置と共通する。ただし、本実施例の「記録再生装置」４９００の「コンテンツ情報取得部」４９０２は、「一括取得手段」４９１６を有する。「一括取得手段」は、編集すべきコンテンツ情報として複数のコンテンツに関するコンテンツ情報を一括して取得するように構成されている。また、「編集部」４９０３は、「一括編集手段」４９１７を有する。「一括編集手段」は、「一括取得手段」にて取得されたコンテンツ情報に対して一括編集を実行するように構成されている。このように構成したのは、帯番組の複数回にわたるコンテンツのように同じ編集パターン情報を用いて編集可能な複数のコンテンツがある場合には、これらのコンテンツに対して一括して編集を施すことが便利であることから、かかる編集を可能ならしめることを目的とする。
【００７８】
図５０は、本実施例の記録再生装置のハードウェア構成の一例を示す概略図である。本例の装置の構成は基本的に実施例１から９のハードウェア構成と共通する。ただし、コンテンツ情報取得プログラムを実行してコンテンツ情報を取得する際には、複数のコンテンツに関するコンテンツ情報を一括して取得するように構成されている。一括して取得すべき複数のコンテンツを特定するための方法としては、例えば帯番組のような同一の編集パターン情報を用いた編集の対象となる一連の番組に同一の識別情報を付与しておき、当該識別情報に基づいて取得することが考えられる。また、編集プログラムを実行して編集を実行する際にも、ＣＰＵは、取得されたコンテンツ情報に対して一括編集を実行する。一括編集にかかる構成の具体的要領は、上でコンテンツ情報の一括取得について説明したところと同様である。
【００７９】
<処理の流れ>
図５１は、本実施例の記録再生装置における処理の流れの一例を示す図である。本例の処理の流れは基本的に実施例１から９のいずれか一の処理の流れと共通する。ただし、本例の処理の流れにおいては、コンテンツ情報取得ステップＳ５１０１における取得及び編集ステップＳ５１０２における編集は、どちらも一括してなされる。
【００８０】
<効果>
本実施例の記録再生装置により、同じ編集パターン情報を用いて編集可能な複数のコンテンツに対して一括して編集を施すこと可能となる。
【図１】
2010239638.tif 000003
【図２】
2010239638.tif 000004
【図３】
2010239638.tif 000005
【図４】
2010239638.tif 000006
【図５】
2010239638.tif 000007
【図６】
2010239638.tif 000008
【図７】
2010239638.tif 000009
【図８】
2010239638.tif 000010
【図９】
2010239638.tif 000011
【図１０】
2010239638.tif 000012
【図１１】
2010239638.tif 000013
【図１２】
2010239638.tif 000014
【図１３】
2010239638.tif 000015
【図１４】
2010239638.tif 000016
【図１５】
2010239638.tif 000017
【図１６】
2010239638.tif 000018
【図１７】
2010239638.tif 000019
【図１８】
2010239638.tif 000020
【図１９】
2010239638.tif 000021
【図２０】
2010239638.tif 000022
【図２１】
2010239638.tif 000023
【図２２】
2010239638.tif 000024
【図２３】
2010239638.tif 000025
【図２４】
2010239638.tif 000026
【図２５】
2010239638.tif 000027
【図２６】
2010239638.tif 000028
【図２７】
2010239638.tif 000029
【図２８】
2010239638.tif 000030
【図２９】
2010239638.tif 000031
【図３０】
2010239638.tif 000032
【図３１】
2010239638.tif 000033
【図３２】
2010239638.tif 000034
【図３３】
2010239638.tif 000035
【図３４】
2010239638.tif 000036
【図３５】
2010239638.tif 000037
【図３６】
2010239638.tif 000038
【図３７】
2010239638.tif 000039
【図３８】
2010239638.tif 000040
【図３９】
2010239638.tif 000041
【図４０】
2010239638.tif 000042
【図４１】
2010239638.tif 000043
【図４２】
2010239638.tif 000044
【図４３】
2010239638.tif 000045
【図４４】
2010239638.tif 000046
【図４５】
2010239638.tif 000047
【図４６】
2010239638.tif 000048
【図４７】
2010239638.tif 000049
【図４８】
2010239638.tif 000050
【図４９】
2010239638.tif 000051
【図５０】
2010239638.tif 000052
【図５１】
2010239638.tif 000053